Podtech/llm-jp-corpus-v4-ja_patent huggingface dataset:
(57)【要約】      （修正有）【課題】従来の手提げ袋は、収納袋が、１つしかなかったため、収納物品が乱雑になりがちであり、デザインも、平面的であったため、収納とデザイン作り面を兼ね備えた、四面外袋付手提げ袋を作る方法を提供する。【解決手段】従来の手提げ袋を作る図面の袋面（１）の下に、その袋面（１）の縦辺より短い縦辺をもつ、２つの同型、外袋裏側と外袋表面（４）を上下に書き、袋面（１）と外袋裏面を重ね合わせ、その重ね合わせた面の縦辺、（２ｂ）と（７ｂ）、（２ｃ）と（７ｃ）、（２ｄ）と（７ｄ）、（２ｅ）と（７ｅ）を共に固定し、外袋裏面に、外袋表面（４）を重ね合わせ、それらの面を重ね合わせたまま、従来の袋面折りを行い、各面のつなぎ面と各面の側面を、重ね合わせ固定した、作り方とする。【選択図】図２
2007290775.tif 000002
【特許請求の範囲】
【請求項１】
（イ）、従来の手提げ袋を作る図面の袋面（１）の下に、その袋面（１）の縦辺（２ａ）（２ｂ）、（２ｃ）、（２ｄ）、（２ｅ）、（２ｆ）より短い縦辺をもつ、２つの同型の外袋裏面（３）と外袋表面（４）を上下に書き、その下に底面（５）を書いた図面を作る。
（ロ）、次に、袋面（１）の下辺（６）を谷折りし、外袋裏面（３）を重ね合わせ、その重ね合った面の、縦辺（２ｂ）と（７ｂ）、（２ｃ）と（７ｃ）、（２ｄ）と（７ｄ）、（２ｅ）と（７ｅ）を共に固定する。そして、外袋裏面（３）の下辺（８）を山折りし、外袋表面（４）を重ね合わせる。
（ハ）、そして、それらの面を重ね合わせたまま、従来の袋面折りを行い、次に、各面のつなぎ面（９）と各面の側面（１０）を、同じ各面どうし重ね合わせ固定する。その他は従来通りの方法で行う。
以上の構成よりなる、四面外袋付手提げ袋を作る方法。
【発明の詳細な説明】
【発明の分野】
【０００１】  この発明は、従来の手提げ袋を作る図面の袋面の下に、２つの同型の外袋裏面と外袋表面を加え、袋面と外袋裏面を重ね合わせ、その重ね合わせた面の縦辺を、共に固定し、外袋表面を重ね合わせた、四面外袋付手提げ袋を作る方法に関するものである。
【技術背景】
【０００２】  従来、手提げ袋の収納袋は、１つであった。このため、収納物が、乱雑になりがちであった。また、デザイン面が、１枚の袋面上であったため、デザイン作りが平面的であった
【発明の開示】
【発明が解決しようとする課題】
【０００３】  これには、次のような欠点があった。
（イ）、収納袋が、１つのため、収納物が、乱雑になりやすかった。
（ロ）、デザイン面が、１枚の袋面上であったため、デザイン作りが、平面的であった。
本発明は、以上のような点をなくすためになされたものである。
【課題を解決するための手段】
【０００４】（イ）、従来の手提げ袋を作る図面の袋面（１）の下に、その袋面（１）の縦辺（２ａ）（２ｂ）、（２ｃ）、（２ｄ）、（２ｅ）、（２ｆ）より短い縦辺をもつ、２つの同型の外袋裏面（３）と外袋表面（４）を上下に書き、その下に底面（５）を書いた図面を作る
（ロ）、次に、袋面（１）の下辺（６）を谷折りし、外袋裏面（３）を重ね合わせ、その重ね合った面の、縦辺（２ｂ）と（７ｂ）、（２ｃ）と（７ｃ）、（２ｄ）と（７ｄ）、（２ｅ）と（７ｅ）を共に固定する。そして、外袋裏面（３）の下辺（８）を山折りし、外袋裏面（４）を重ね合わせる。
（ハ）、そして、それらの面を重ね合わせたまま、従来の袋面折りを行い、次に、各面のつなぎ面（９）と各面の側面（１０）を、同じ各面どうし重ね合わせ固定する。その他は、従来通りの方法で行う。
本発明は、以上の構成よりなる四面外袋付手提げ袋を作る方法である。
【発明の効果】
【０００５】（イ）、四面外袋により、収納力が増し、整理機能が向上する。
（ロ）、底面上に、四面外袋が作れるため、収納物を、安定した状態で収納できる。
（ハ）、重ね合った面の縦辺を共に固定することにより、保持力の補強、四面外袋の開口部制限ができ、収納袋の安定性、安全性が、作れる。
（ニ）、四面外袋の高さが、袋面の高さより低く作れるため、外袋の収納物の出し入れがスムーズに、行える。
（ホ）、四面外袋の一部分または全面に、多種多様の立体的デザイン作りができるため、ファッション性が高められ、購買欲の刺激につながる。
【発明を実施するための最良形態】
【０００６】（イ）、従来の手提げ袋を作る図面の袋面（１）の下に、その袋面（１）の縦辺（２ａ）（２ｂ）、（２ｃ）、（２ｄ）、（２ｅ）、（２ｆ）より短い縦辺をもつ、２つの同型の外袋裏面（３）と外袋表面（４）を上下に書き、その下に底面（５）を書いた図面を作る
（ロ）、次に、袋面（１）の下辺（６）を谷折りし、外袋裏面（３）を重ね合わせ、その重ね合った面の、縦辺（２ｂ）と（７ｂ）、（２ｃ）と（７ｃ）、（２ｄ）と（７ｄ）、（２ｅ）と（７ｅ）を、共に重ね合った縦辺上部より、はさみ固定する。そして、外袋裏面（３）の下辺（８）を山折りし、外袋表面（４）を重ね合わせる。
（ハ）、そして、それらの面を重ね合わせたまま、従来の袋面折りを行い、次に、各面のつなぎ面（９）と各面の側面（１０）を、同じ各面どうし重ね合わせ、接着剤等で固定する。その他は、従来通りの方法で行なう。
本発明は、以上のような構造で、これを使用する時は、収納物が、各用途別、物品別に整理でき、且つ、スムーズに出し入れできる。また、四面外袋の一部分や全面に、装飾品を取り付けるための、穴や切り込みを入れたり、袋面自体に、模様や文字のカットを入れたりして、デザイン作りができる。
【０００７】  図面の変形例として、各面のつなぎ面（９）が、各面の側面（１０）の横に位置する場合共に固定する縦辺は、（２ｃ）と（７ｃ）、（２ｄ）と（７ｄ）、（２ｅ）と（７ｅ）、（２ｆ）と、その下の外袋裏面（３）の縦辺となる。
【０００８】  固定の変形例として、袋面（１）、外袋裏面（３）、外袋表面（４）を重ね合わせる。そして、外袋表面（４）より重ね合わせた面を共に固定する。この固定の利点は、穴ができる固定器具にて固定した場合、装飾品を取り付けることができる。つまり、デザイン作りの面が、同時にできる。
【０００９】  四面外袋のデザイン作りの方法
（イ）、装飾品を、取り付けるための、穴や切り込みカットを入れる方法
（ロ）、装飾品を、四面外袋上辺に、取り付ける方法
（ハ）、袋面自体に、模様カットや文字カットする方法
（ニ）、重ね合わせた、外袋裏面（３）と外袋表面（４）の間に、装飾品やデザイン台紙等を、挿入し（固定も可）、外袋表面（３）にカットを入れ、そのカットより、装飾品、デザイン台紙等が、見える様にする方法
（ホ）、袋面に複数穴をカットし、その穴に、細長い装飾品（ひも等）を、通し編みしてゆく方法
【図面の簡単な説明】
【００１０】
【図１】  四面外袋付手提げ袋を作る図面
【図２】  図１の図面で作った四面外袋付手提げ袋の正面斜視図
【図３】  図２の拡大中央断面図
【符号の説明】
【００１１】  １、袋面
２ａ、２ｂ、２ｃ、２ｄ、２ｅ、２ｆ、袋面の縦辺
３、外袋裏面
４、外袋表面
５、底面
６、袋面の下辺
７ｂ、７ｃ、７ｄ、７ｅ、外袋裏面の固定する縦辺
８、外袋裏面の下辺
９、各面のつなぎ面
１０、各面の側面
【図１】
2007290775.tif 000003
【図２】
2007290775.tif 000004
【図３】
2007290775.tif 000005
(57)【要約】【課題】  地震などに起因する液体槽浮き屋根の揺動を防止し、浮き屋根や液体槽に甚大な被害が起こるのを防止し、又、液体槽壁と浮き屋根の間の、浮き屋根の上下動に必要な間隙を通じた貯蔵液体の漏洩を防止して引火性液体の火災等を防ぐ事を課題とする。【解決手段】  浮き屋根のフロート部分外周と貯蔵槽壁との間隙に、通常は縮小しているが作動時には膨張する１５加圧チューブを内蔵した、十分な強度を備えた柔軟な１４固定膜を１３取付具で装着する。作動時には１５加圧チューブに高圧ガスを供給して膨張させ、浮き屋根を液体槽壁に固定し、又、貯蔵液体を密閉する。【選択図】図１
2007290774.tif 000002
【特許請求の範囲】
【請求項１】
液体槽浮き屋根揺動防止装置の発明は、浮き屋根のフロート部分外周と貯蔵槽壁との間隙に、通常は縮小しているが作動時には膨張する加圧チューブを内蔵した、浮き屋根を液体槽壁に固定し貯蔵液体を密封するのに十分な強度を備えた柔軟な固定膜を取付けた装置である。
【発明の詳細な説明】
【技術分野】
【０００１】  本発明は、地震などで起こり易い、液体槽浮き屋根の揺動を防止し、同時に、貯蔵する液体の漏洩を防止する装置に関する。
【背景技術】
【０００２】  従来の浮き屋根揺動防止装置は上下動と水平動を完全に停止するのではなく、揺動を和らげ、或いは、フロートと液体槽壁との衝突を和らげる緩衝装置や制震装置が主体であった。
【発明の開示】
【発明が解決しようとする課題】
【０００３】  従来の浮き屋根揺動防止装置は、浮き屋根が貯蔵液体の貯蔵量の変化に応じ液体槽内を上下する機能を残存させながら、耐震動性を向上させようとするものである。もし、強力な振動が起こった場合、この方法では貯蔵液体液面に生じる波動により浮き屋根に上下動と水平動が起こり、浮き屋根や液体槽の構造に甚大な被害が起こるのを避けられない。更に、液体槽壁と浮き屋根の間に保持されている、浮き屋根の上下動の為の間隙を通じて貯蔵液体が漏洩する可能性があるが、従来の浮き屋根揺動防止装置では漏洩の対策が不十分であった。この様な浮き屋根と液体槽の被害を防止し、同時に、貯蔵液体の漏洩を防止して引火性液体の火災等を未然に防ぐ事を課題とする。
【課題を解決するための手段】
【０００４】  一般的な浮き屋根の構造は、液体槽の内側にフロート或いはポンツーンと呼ぶ、必ずしも全体が一体である必要はないが、内部が空洞である鋼鉄等で製造されるドーナツ状の浮きを配し、ドーナッツ状の中心部の穴を一重或いは二重の蓋で塞いだ構造となっている。浮き屋根は貯蔵液体の多寡に応じ、自由に上下方向に移動出来るように、液体槽壁との間に一定の間隙を保持しながら、貯蔵液体液面上に浮いている。この液体槽壁と浮き屋根の間隙を完全に閉塞して浮き屋根を固定し、又、貯蔵液体が外部に漏洩するのを防止する機能を持つ装置が本発明である。【０００５】  まず、請求項１の本発明の構造を説明する。図１は液体槽壁と浮き屋根のフロート部分の断面図である。本発明は、１３取付具、１４固定膜、１５加圧チューブの３つの主要部分から構成されている。１４固定膜は浮き屋根全体を１１液体槽壁に固定するので、柔軟ではあるが十分な引っ張り強度を持っていなくてはならない。例えば、自転車や自動車のタイヤの様に、十分な引っ張り強度を持った繊維織布を中心にして、表面をゴム、合成樹脂などで形成し、１５加圧チューブの膨張する圧力に耐えながら浮き屋根の揺動力を十分に液体槽壁に伝達出来るだけの引っ張り強度を全体として持っていなくてはならない。また、通常は液体槽壁とフロートとの間隙に十分収まるような平らな外形を持っていなければならない。【０００６】  １５加圧チューブには窒素ガスや二酸化炭素ガス等の貯蔵液体と反応せず火災等が起きにくい気体を供給し、浮き屋根と液体槽壁の間に加圧膨張させて、１４固定膜を強く１１液体槽壁に押しつけ、その摩擦力により浮き屋根全体を液体槽壁に固定する。１３取付具は金属や合成樹脂等で製造され、１４固定膜をボルト等で１２フロートに固定する。１３取付具は必ずしも本図に示されているような形態である必要はなく１４固定膜を１２フロートに固定出来る構造であれば良い。そして、この様な構造の装置を１２フロートの全周囲に、間隙無く取り付ける。【０００７】  図２は１５加圧チューブに加圧用の気体を供給し、浮き屋根全体を液体槽壁に固定した状態である。加圧膨張する１５加圧チューブは必ずしもフロート全周を一体とする必要はなく、むしろ安全性を考慮して分割されていた方が良い場合もある。１４固定膜と１３取付具とは貯蔵液体の漏洩を防止するに十分な気密性を維持すべく、それぞれが最終的には連続して一体となっている必要がある。【０００８】  図２の様に本装置が作動している状態では、浮き屋根は固定されているので振動を受けても揺動しない。また、１６貯蔵液体液面に波動が生じそうになったとしても、本装置下端までの液面の上昇と、部分的な液体内部圧力の高低に終始し実際の波動は生ぜず、波動によるエネルギーの蓄積や波動の合成は起こらないので、スロッシング現象は生じない。また、貯蔵液体の内部圧力は一端で減少し他の一端では高くなるが、本装置の気密性により外部に漏洩する事はない。【０００９】  １５加圧チューブに供給する膨張用のガスは、地震等の振動波が到達する前の短時間のうちに規定量全量が供給されねばならないので、通常は高圧或いは液体でボンベに貯蔵されて居る。
【図面の簡単な説明】
【００１０】
【図１】液体槽壁と浮き屋根のフロート部分の断面図である。
【図２】液体槽壁と浮き屋根のフロート部分で本装置が作動している断面図である。
【符号の説明】
【００１１】１１  液体槽壁
１２  フロート
１３  取付具
１４  固定膜
１５  加圧チューブ
１６  貯蔵液体液面
【図１】
2007290774.tif 000003
【図２】
2007290774.tif 000004
(57)【要約】【課題】  従来、検査測定機に於いての検査時、測定部品を固定するのに不安定な状態であったのを簡単に正確に固定する。【解決手段】  Ｖブロックにクリップをつけワンタッチで挟み、測定部品をすばやく正確に固定する。【選択図】  図１
2007064955.tif 000002
【特許請求の範囲】
【請求項１】
測定機を使っての、検査する精密部品等をワンタッチで固定する冶具で、クリップを付けたＶブロック。
【発明の詳細な説明】
【技術分野】
【０００１】  本発明は、精密部品の検査測定時、部品を容易に固定出来るＶブロックに関する。
【背景技術】
【０００２】  従来は測定時の固定方法として、普通のＶブロックに載せたり、マグネットや粘土を使用していた。
【発明の開示】
【発明が解決しようとする課題】
【０００３】  上記で述べた方法では、正確に固定するのに時間がかかったり、また測定条件としては不安定な状態での検査であった。【０００４】  本発明は、このような不安定な固定方法を解決しようとするものであり、ワンタッチですばやく正確に固定することを目的とするものである。
【課題を解決するための手段】
【０００５】  そして、本発明は上記目的を達成するためにＶブロックにクリップを取り付けたものである。
【発明の効果】
【０００６】  この装置を使えば、ワンタッチですばやく、しっかりと、又直角に固定でき、測定が正確に出来る。又普通のＶブロックとしても使用できる。
【発明を実施するための最良の形態】
【０００７】  従来、部品の測定検査で測定機に、投影機、顕微鏡、三次元測定器、デジマイクロ等を使用する場合、現状ではＶブロックやマグネットや粘土を使って固定し測定する。それらの代わりに、クリップでくわえて固定使用する。
【図面の簡単な説明】
【０００８】
【図１】本発明の正面から見た組立図
【図２】同側面から見た組立図
【符号の説明】
【０００９】    １    Ｖブロック本体（クリップ下）
２    クリップ上
３    クリップヒンジ上
４    クリップヒンジ下
５    クリップばね固定軸
６    ばね
７    止ネジ
【図１】
2007064955.tif 000003
【図２】
2007064955.tif 000004